(57)【要約】      （修正有）【課題】撮影装置とその動作の実行を制御する装置との通信が切断された場合であっても、撮影装置による動作の実行を制御することが可能な動作制御プログラム及び動作制御システムを提供する。【解決手段】撮影装置は、外部装置と通信するための通信手段と、外部装置より受信される制御信号に従って撮影に関する所定の動作の実行を制御する動作実行手段と、外部装置との通信の切断を検知する切断検知手段とを備える。動作実行手段は、所定の動作の実行中に外部装置との通信の切断が検知されると、所定の動作制御設定に従って所定の動作の実行を制御する。【選択図】図２
2015076841.tif 000002
【特許請求の範囲】
【請求項１】
外部装置と通信するための通信手段と、
前記外部装置より受信される制御信号に従って撮影に関する所定の動作の実行を制御する動作実行手段と、
前記外部装置との通信の切断を検知する切断検知手段と、
を備え、
前記動作実行手段は、
前記所定の動作の実行中に前記外部装置との通信の切断が検知されると、所定の動作制御設定に従って該所定の動作の実行を制御する、
撮影装置。
【請求項２】
前記所定の動作制御設定をユーザに設定させるための操作手段
を備える、
請求項１に記載の撮影装置。
【請求項３】
前記所定の動作制御設定が予め記憶された記憶媒体
を備える、
請求項１に記載の撮影装置。
【請求項４】
前記動作実行手段は、
前記外部装置との通信が接続されているとき、該外部装置より受信される所定の動作開始コマンドに従って前記所定の動作の実行を開始し、該外部装置より受信される所定の動作終了コマンドに従って該所定の動作の実行を終了し、
前記所定の動作の実行中に前記外部装置との通信の切断が検知されたとき、前記所定の動作制御設定に従って該所定の動作の実行を一定時間継続した後に終了する、
請求項１から請求項３の何れか一項に記載の撮影装置。
【請求項５】
前記所定の動作は、
連写撮影動作、バルブ撮影動作又は動画撮影動作である、
請求項１から請求項４の何れか一項に記載の撮影装置。
【請求項６】
撮影装置による所定の動作の実行を制御する動作制御端末装置であって、
前記撮影装置と通信するための通信手段と、
前記撮影装置において前記所定の動作の実行中に前記動作制御端末装置との通信が切断されたときの、該撮影装置による該所定の動作の実行を制御するための動作制御設定の設定画面を表示する表示手段と、
前記設定画面に表示された動作制御設定に対するユーザ操作を受け付ける操作手段と、
を備え、
前記通信手段は、
前記設定画面に表示された動作制御設定に対するユーザの操作結果を前記撮影装置に送信することにより、該撮影装置にて該動作制御設定を設定させる、
動作制御端末装置。
【請求項７】
前記動作制御設定は、
前記撮影装置において前記所定の動作の実行中に前記動作制御端末装置との通信の切断が検知されたときに該所定の動作の実行を一定時間継続させた後に終了させるものである、
請求項６に記載の動作制御端末装置。
【請求項８】
前記所定の動作は、
連写撮影動作、バルブ撮影動作又は動画撮影動作である、
請求項６又は請求項７に記載の撮影装置。
【請求項９】
撮影装置による所定の動作の実行をユーザ操作を通じて制御するための動作制御プログラムであって、
前記撮影装置において前記所定の動作の実行中に所定の外部装置との通信が切断されたときの、該撮影装置による該所定の動作の実行を制御するための動作制御設定の設定画面を所定の表示画面に表示するステップと、
前記設定画面に表示された動作制御設定に対するユーザ操作に従って該動作制御設定を設定するステップと、
をコンピュータに実行させるための動作制御プログラム。
【請求項１０】
前記動作制御設定は、
前記撮影装置において前記所定の動作の実行中に前記動作制御端末装置との通信の切断が検知されたときに該所定の動作の実行を一定時間継続させた後に終了させるものである、
請求項９に記載の動作制御プログラム。
【請求項１１】
前記所定の動作は、
連写撮影動作、バルブ撮影動作又は動画撮影動作である、
請求項９又は請求項１０に記載の動作制御プログラム。
【請求項１２】
互いに接続された動作制御設定サーバ、動作制御端末装置及び撮影装置を備える動作制御システムであって、
前記動作制御設定サーバは、
所定の動作制御設定コンテンツ
を有し、
前記動作制御設定装置は、
前記動作制御設定サーバより前記動作制御設定コンテンツを受信して表示する表示手段と、
表示された動作制御設定コンテンツに対するユーザ操作を受け付ける操作手段と、
前記動作制御設定コンテンツに対する操作結果を前記撮影装置に送信する送信手段と、
を有し、
前記撮影装置は、
前記動作制御端末装置より受信される制御信号に従って撮影に関する所定の動作の実行を制御する動作実行手段と、
前記動作制御設定装置より受信される前記動作制御設定コンテンツに対する操作結果に従い、所定の動作制御設定を設定する設定手段と、
を有し、
前記動作実行手段は、
前記所定の動作の実行中に前記動作制御設定装置との通信の切断が検知されると、前記所定の動作制御設定に従って該所定の動作の実行を制御する、
動作制御システム。
【請求項１３】
前記動作制御設定サーバは、
前記撮影装置に備えられている、
請求項１２に記載の動作制御システム。
【請求項１４】
前記動作制御設定は、
前記撮影装置において前記所定の動作の実行中に前記動作制御端末装置との通信の切断が検知されたときに該所定の動作の実行を一定時間継続させた後に終了させるものである、
請求項１２又は請求項１３に記載の動作制御システム。
【請求項１５】
前記所定の動作は、
連写撮影動作、バルブ撮影動作又は動画撮影動作である、
請求項１２から請求項１４の何れか一項に記載の動作制御システム。
【発明の詳細な説明】
【技術分野】
【０００１】
本発明は、撮影に関する所定の動作を実行可能な撮影装置に関する。また、撮影装置による所定の動作の実行を制御する動作制御端末装置、動作制御プログラム及び動作制御システムに関する。
【背景技術】
【０００２】
カメラ等の撮影装置を遠隔操作するシステムが知られている。例えば特許文献１に、マスタカメラがスレーブカメラを遠隔操作するシステムの具体的構成が記載されている。
【０００３】
特許文献１において、マスタカメラは、撮影準備・撮影開始コマンドをマルチキャスト又はブロードキャストで複数台のスレーブカメラに送信し、撮影終了コマンドをユニキャストで各スレーブカメラに送信する。マスタカメラは、撮影終了コマンドに対する応答が確認できないスレーブカメラに対して応答が確認できるまで、ユニキャストによる撮影終了コマンドの送信を繰り返す。ユニキャストによる撮影終了コマンドの送信を繰り返し行い撮影終了コマンドをスレーブカメラに受信させることで、スレーブカメラで実行されている撮影処理を終了させる構成となっている。
【先行技術文献】
【特許文献】
【０００４】
【特許文献１】特開２０１１−５００１７号公報
【発明の概要】
【発明が解決しようとする課題】
【０００５】
特許文献１に記載のシステムは、マスタカメラとスレーブカメラとの通信が継続していることが前提となっている。例えば、特許文献１に記載のシステムにおいてマスタカメラとスレーブカメラとの通信が切断された場合を考える。この場合、マスタカメラがスレーブカメラに撮影終了コマンドを何度送信してもスレーブカメラが撮影終了コマンドを受信することができないため、スレーブカメラで実行されている撮影処理が終了しないという問題が指摘される。
【０００６】
本発明は上記の事情に鑑みてなされたものであり、その目的とするところは、撮影装置とその動作の実行を制御する装置との通信が切断された場合であっても、撮影装置による動作の実行を制御することが可能な動作制御プログラム及び動作制御システムを提供することである。また、動作の実行を制御する装置との通信が切断された場合であっても、当該動作の実行が制御される撮影装置を提供することである。また、通信切断時以降の撮影装置の動作を制御するための動作制御設定を設定することが可能な動作制御端末装置を提供することである。
【課題を解決するための手段】
【０００７】
本発明の実施形態に係る撮影装置は、外部装置と通信するための通信手段と、外部装置より受信される制御信号に従って撮影に関する所定の動作の実行を制御する動作実行手段と、外部装置との通信の切断を検知する切断検知手段とを備える。動作実行手段は、所定の動作の実行中に外部装置との通信の切断が検知されると、所定の動作制御設定に従って所定の動作の実行を制御する。
【０００８】
本実施形態によれば、撮影装置は、外部装置との通信が切断されて外部装置からの制御信号を受信できない状況にあっても、撮影に関する所定の動作の実行が制御される。
【０００９】
撮影装置は、所定の動作制御設定をユーザに設定させるための操作手段を備える構成であってもよい。
【００１０】
撮影装置は、所定の動作制御設定が予め記憶された記憶媒体を備える構成であってもよい。
【００１１】
動作実行手段は、例えば、外部装置との通信が接続されているとき、外部装置より受信される所定の動作開始コマンドに従って所定の動作の実行を開始し、外部装置より受信される所定の動作終了コマンドに従って所定の動作の実行を終了する。また、動作実行手段は、例えば、所定の動作の実行中に外部装置との通信の切断が検知されたとき、所定の動作制御設定に従って所定の動作の実行を一定時間継続した後に終了する。
【００１２】
所定の動作は、例えば、連写撮影動作、バルブ撮影動作又は動画撮影動作である。
【００１３】
本発明の実施形態に係る動作制御端末装置は、撮影装置による所定の動作の実行を制御する装置であり、撮影装置と通信するための通信手段と、撮影装置において所定の動作の実行中に動作制御端末装置との通信が切断されたときの、撮影装置による所定の動作の実行を制御するための動作制御設定の設定画面を表示する表示手段と、設定画面に表示された動作制御設定に対するユーザ操作を受け付ける操作手段とを備える。通信手段は、設定画面に表示された動作制御設定に対するユーザの操作結果を撮影装置に送信することにより、撮影装置にて動作制御設定を設定させる。
【００１４】
本発明の実施形態に係る動作制御プログラムは、撮影装置による所定の動作の実行をユーザ操作を通じて制御するためのプログラムであり、撮影装置において所定の動作の実行中に所定の外部装置との通信が切断されたときの、撮影装置による所定の動作の実行を制御するための動作制御設定の設定画面を所定の表示画面に表示するステップと、設定画面に表示された動作制御設定に対するユーザ操作に従って動作制御設定を設定するステップとをコンピュータに実行させるためのものである。
【００１５】
本発明の実施形態に係る動作制御システムは、互いに接続された動作制御設定サーバ、動作制御端末装置及び撮影装置を備えるシステムである。動作制御設定サーバは、所定の動作制御設定コンテンツを有する。動作制御設定装置は、動作制御設定サーバより動作制御設定コンテンツを受信して表示する表示手段と、表示された動作制御設定コンテンツに対するユーザ操作を受け付ける操作手段と、動作制御設定コンテンツに対する操作結果を撮影装置に送信する送信手段とを有する。撮影装置は、動作制御端末装置より受信される制御信号に従って撮影に関する所定の動作の実行を制御する動作実行手段と、動作制御設定装置より受信される動作制御設定コンテンツに対する操作結果に従い、所定の動作制御設定を設定する設定手段とを有する。動作実行手段は、所定の動作の実行中に動作制御設定装置との通信の切断が検知されると、所定の動作制御設定に従って所定の動作の実行を制御する。
【００１６】
動作制御設定サーバは、例えば撮影装置に備えられている。
【発明の効果】
【００１７】
本実施形態によれば、撮影装置とその動作の実行を制御する装置との通信が切断された場合であっても、撮影装置による動作の実行を制御することが可能な動作制御プログラム及び動作制御システムが提供される。また、動作の実行を制御する装置との通信が切断された場合であっても、当該動作の実行が制御される撮影装置が提供される。また、通信切断時以降の撮影装置の動作を制御するための動作制御設定を設定することが可能な動作制御端末装置が提供される。
【図面の簡単な説明】
【００１８】
【図１】本発明の実施形態の動作制御システムの構成を示すブロック図である。
【図２】本発明の実施形態の動作制御フローを示す図である。
【図３】本発明の実施形態の撮影装置のＬＣＤに表示される動作制御設定の設定画面を示す図である。
【発明を実施するための形態】
【００１９】
以下、本発明の実施形態の動作制御システムについて図面を参照しながら説明する。以下においては、本発明の一実施形態として、デジタル一眼レフカメラとスマートフォンとを備える動作制御システムについて説明する。なお、動作制御システムに備えられるデジタル一眼レフカメラは、ミラーレス一眼カメラ、コンパクトデジタルカメラ、カムコーダ、タブレット端末、ＰＨＳ（Personal Handy phone System）、スマートフォン、フィーチャフォン、携帯ゲーム機など、撮影機能を有する別の形態の装置に置き換えてもよい。また、動作制御システムに備えられるスマートフォンは、デジタル一眼レフカメラ、ミラーレス一眼カメラ、コンパクトデジタルカメラ、カムコーダ、タブレット端末、ＰＨＳ、フィーチャフォン、携帯ゲーム機、デスクトップＰＣ（Personal Computer）、ノートＰＣなど、ユーザインタフェースとして機能する別の形態の装置に置き換えてもよい。
【００２０】
［動作制御システム１の構成］
図１は、本発明の実施形態の動作制御システム１の構成を示すブロック図である。図１に示されるように、本実施形態の動作制御システム１は、撮影装置１０及びスマートフォン２０を備えている。
【００２１】
［撮影装置１０の構成］
図１に示されるように、撮影装置１０は、ＣＰＵ（Central Processing Unit）１００、操作部１０２、絞り・シャッタ駆動回路１０４、撮影レンズ１０６、絞り１０８、シャッタ１１０、イメージセンサ１１２、信号処理回路１１４、画像処理エンジン１１６、バッファメモリ１１８、カード用インタフェース１２０、ＬＣＤ（Liquid Crystal Display）制御回路１２２、ＬＣＤ１２４、ＲＯＭ（Read Only Memory）１２６、通信インタフェース１２８及び動作制御設定サーバ（動作制御設定コンテンツ）１３０を備えている。
【００２２】
操作部１０２には、電源スイッチやレリーズスイッチ、撮影モードスイッチなど、ユーザが撮影装置１０を操作するために必要な各種スイッチが含まれる。ユーザにより電源スイッチが押されると、図示省略されたバッテリから撮影装置１０の各種回路に電源ラインを通じて電源供給が行われる。ＣＰＵ１００は電源供給後、ＲＯＭ１２６にアクセスして制御プログラムを読み出して内蔵メモリ（不図示）にロードし、ロードされた制御プログラムを実行することにより、撮影装置１０全体の制御を行う。
【００２３】
ＣＰＵ１００は、撮影装置１０に内蔵されたＴＴＬ（Through The Lens）露出計（不図示）で測定された測光値に基づき適正露出が得られるように、絞り・シャッタ駆動回路１０４を介して絞り１０８及びシャッタ１１０を駆動制御する。より詳細には、絞り１０８及びシャッタ１１０の駆動制御は、プログラムＡＥ（Automatic Exposure）、シャッタ速度優先ＡＥ、絞り優先ＡＥなど、撮影モードスイッチにより指定されるＡＥ機能に基づいて行われる。また、ＣＰＵ１００はＡＥ制御と併せてＡＦ（Autofocus）制御を行う。ＡＦ制御には、アクティブ方式、位相差検出方式、コントラスト検出方式等が適用される。なお、この種のＡＥ及びＡＦの構成及び制御については周知であるため、ここでの詳細な説明は省略する。
【００２４】
被写体からの光束は、撮影レンズ１０６、絞り１０８、シャッタ１１０を通過してイメージセンサ１１２により受光される。イメージセンサ１１２は、例えばＣＣＤ（Charge Coupled Device）イメージセンサやＣＭＯＳ（Complementary Metal Oxide Semiconductor）イメージセンサであり、撮像面上の各画素で結像した光学像を光量に応じた電荷として蓄積して電気信号に変換し、信号処理回路１１４に出力する。信号処理回路１１４は、イメージセンサ１１２より入力される電気信号（撮影データ）に対して所定の信号処理を施して、画像処理エンジン１１６に出力する。
【００２５】
画像処理エンジン１１６は、信号処理回路１１４より入力される信号に対して色補間、マトリクス演算、Ｙ／Ｃ分離等の所定の信号処理を施して輝度信号Ｙ、色差信号Ｃｂ、Ｃｒを生成し、ＪＰＥＧ（Joint Photographic Experts Group）等の所定のフォーマットで圧縮する。バッファメモリ１１８は、画像処理エンジン１１６による処理の実行時、処理データの一時的な保存場所として用いられる。
【００２６】
カード用インタフェース１２０のカードスロットには、メモリカード１３２が着脱可能に差し込まれる。画像処理エンジン１１６は、カード用インタフェース１２０を介してメモリカード１３２と通信可能である。画像処理エンジン１１６は、生成された圧縮画像信号（撮影画像ファイル）を、ユーザによる操作部１０２の設定操作に従い、メモリカード１３２に保存する。
【００２７】
また、画像処理エンジン１１６は、Ｙ／Ｃ分離後の信号に所定の信号処理を施して、フレームメモリ（不図示）にフレーム単位でバッファリングする。画像処理エンジン１１６は、バッファリングされた信号を所定のタイミングで各フレームメモリから掃き出して画像信号に変換し、ＬＣＤ制御回路１２２に出力する。ＬＣＤ制御回路１２２は、画像処理エンジン１１６より入力される画像信号を基に液晶を変調制御する。これにより、被写体の撮影画像がＬＣＤ１２４に表示される。ユーザは、ＡＥ制御及びＡＦ制御に基づいて適正な輝度及びピントで撮影されたリアルタイムのスルー画を、ＬＣＤ１２４を通じて視認することができる。
【００２８】
［スマートフォン２０の構成］
図１に示されるように、スマートフォン２０は、ＣＰＵ２００、ＲＡＭ（Random Access Memory）等の主記憶装置２０２、フラッシュメモリ等の補助記憶装置２０４、通信インタフェース２０６及びタッチパネル２０８を備えている。
【００２９】
ＣＰＵ２００は、スマートフォン２０の電源投入後、必要なハードウェアにアクセスする。スマートフォン２０の電源投入直後、ＣＰＵ２００は、補助記憶装置２０４にアクセスしてＯＳ（Operating System）２０４ａを読み出して、主記憶装置２０２にロードして起動させる。以後、ＣＰＵ２００とＯＳ２０４ａとが協働することにより、スマートフォン２０による各種処理が実行される。例えば、補助記憶装置２０４には、ブラウザ２０４ｂをはじめとする複数種類のアプリケーション（以下、「アプリ」と記す。）がインストールされている。各種アプリは、ＯＳ２０４ａによるリソース及びプロセスの管理下で動作する。
【００３０】
ブラウザ２０４ｂは、例えばＨＴＭＬ（Hyper Text Markup Language）、ＣＳＳ（Cascading Style Sheets）、JavaScript（登録商標）等及びこれらの関連仕様を解釈可能なＷｅｂブラウザである。ブラウザ２０４ｂは、ＨＴＴＰ（Hypertext Transfer Protocol）に準拠したリクエスト・メッセージを生成し、ユーザ操作等により指定されたＵＲＩ（Uniform Resource Identifier）にアクセスして、Ｗｅｂページ等のコンテンツをダウンロードする。ブラウザ２０４ｂは、ダウンロードされたＨＴＭＬコンテンツ等の解釈、ＤＯＭ（Document Object Model）ツリー、レイアウトツリー等の生成を行う。ブラウザ２０４ｂは、レイアウトが決定されたコンテンツの各要素を主記憶装置２０２内のイメージバッファに逐次レンダリングする。イメージバッファにレンダリングされた内容は、図示省略されたＶＲＡＭ（Video Random Access Memory）に転送される。レンダリング結果がＶＲＡＭに転送されることにより、コンテンツがタッチパネル２０８上に表示される。ユーザは、タッチパネル２０８上に表示されたコンテンツに対してペンタッチやフィンガタッチによる入力や、フリック操作（画面上を指ではらう操作）による画面スクロール、ピンチ操作（二本の指の間を画面上で拡げる又は縮める操作）によるズームイン／ズームアウト等の各種操作を行うことができる。
【００３１】
［動作制御フロー］
次に、撮影装置１０において実行される動作制御フローを説明する。図２は、本発明の実施形態の動作制御フローを示す。図２に示される動作制御フローは、電源投入により撮影装置１０が起動すると開始される。なお、スマートフォン２０の補助記憶装置２０４には、撮影装置１０の動作を制御するための動作制御アプリ２０４ｃがインストールされている。動作制御アプリ２０４ｃで制御可能な撮影装置１０の動作には、例えば連写撮影動作、バルブ撮影動作、動画撮影動作等が挙げられる。
【００３２】
図２においては、動作制御アプリ２０４ｃによる連写撮影動作の制御例を示す。例えば、ユーザがタッチパネル２０８に表示された動作制御アプリ２０４ｃの連写撮影動作スイッチをフィンガタッチすると、スマートフォン２０から撮影装置１０に連写撮影開始コマンドが送信される。連写撮影動作スイッチがモーメンタリ式である場合、ユーザが連写撮影動作スイッチから指を離すと、スマートフォン２０から撮影装置１０に連写撮影終了コマンドが送信される。連写撮影動作スイッチがオルタネート式である場合、ユーザが連写撮影動作スイッチを再度フィンガタッチすると、スマートフォン２０から撮影装置１０に連写撮影終了コマンドが送信される。
【００３３】
［図２のＳ１１（通信モードのチェック）］
撮影装置１０（通信インタフェース１２８）及びスマートフォン２０（通信インタフェース２０６）は、IEEE 802.11規格に準拠しており、Wi-Fi通信可能である。本実施形態において撮影装置１０とスマートフォン２０はWi-Fi通信するが、別の実施形態では、Bluetooth（登録商標）やIrDA等の別の無線通信プロトコルで通信してもよい。また、無線通信プロトコルに代えて、ＵＳＢ（Universal Serial Bus）等の有線通信プロトコルで通信してもよい。
【００３４】
本処理ステップＳ１１では、撮影装置１０の通信モードが無線ＬＡＮ（Local Area Network）モードに設定されているか否かが判定される。
【００３５】
［図２のＳ１２（連写撮影開始コマンドの受信待機）］
撮影装置１０は、通信モードが無線ＬＡＮモードに設定されると（図２のＳ１１：ＹＥＳ）、無線アクセスポイントに接続される。これにより、撮影装置１０とスマートフォン２０とが同一セグメント内に属する。そのため、撮影装置１０とスマートフォン２０とがWi-Fi通信可能となる。なお、撮影装置１０とスマートフォン２０は、インフラストラクチャモードでの接続に限らず、アドホックモードで接続されてもよい。
【００３６】
本処理ステップＳ１２では、スマートフォン２０より送信される連写撮影開始コマンドの受信が待機される。
【００３７】
［図２のＳ１３（撮影処理）］
スマートフォン２０より送信された連写撮影開始コマンドが受信されると（図２のＳ１２：ＹＥＳ）、本処理ステップＳ１３が実施される。本処理ステップＳ１３では、被写体の撮影が１回行われて１つの撮影画像ファイルが生成される。生成された撮影画像ファイルは、メモリカード１３２に保存される。
【００３８】
［図２のＳ１４（連写撮影終了コマンドの受信待機）］
本処理ステップＳ１４では、スマートフォン２０より送信される連写撮影終了コマンドの受信が待機される。スマートフォン２０より送信された連写撮影終了コマンドが受信されると（図２のＳ１４：ＹＥＳ）、図２の処理ステップＳ２３（連写撮影の終了）に進む。
【００３９】
このように、本実施形態では、撮影装置１０は、撮影装置１０側のドライブ設定（連写／単写）に拘わらず、スマートフォン２０より受信される連写撮影コマンド又は単写撮影コマンドに従って動作（連写／単写）される。別の実施形態では、撮影装置１０は、スマートフォン２０よりレリーズコマンドを受信すると、撮影装置１０側のドライブ設定（連写／単写）に従って動作（連写／単写）されてもよい。
【００４０】
［図２のＳ１５（無線接続状態のチェック）］
連写撮影終了コマンドが受信されなければ（図２のＳ１４：ＮＯ）、本処理ステップＳ１５が実施される。本処理ステップＳ１５では、撮影装置１０とスマートフォン２０との無線通信が有効であるか否かが判定される。
【００４１】
撮影装置１０は、スマートフォン２０との無線通信の有効性を確認するため、スマートフォン２０の検出を定期的に行っている。撮影装置１０は、スマートフォン２０が検出されたとき、スマートフォン２０との無線通信が有効であると判定して（図２のＳ１５：ＹＥＳ）、図２の処理ステップＳ１３（撮影処理）に戻る。撮影装置１０は、スマートフォン２０が検出されないとき、スマートフォン２０との無線通信が無効である（無線通信が切断されている）と判定して（図２のＳ１５：ＮＯ）、図２の処理ステップＳ１６（無線通信切断時の動作制御設定の適用判定）に進む。
【００４２】
なお、スマートフォン２０が検出されなかったとき、動作制御アプリ２０４ｃの画面に、例えば、撮影装置１０との無線通信が切断されたこと、現在の連写撮影動作が自動停止する条件、連写撮影動作が自動停止するまでのカウントダウン、無線通信が復帰したときに連写撮影動作の自動停止がキャンセルされること、等を表示するとよい。なお、カウントダウンの値は、例えば、無線通信が切断される前の撮影装置１０の撮影動作状態を検出しておき、検出された状態から自動停止する条件が満たされるまでの時間に対応する。
【００４３】
［図２のＳ１６（無線通信切断時の動作制御設定の適用判定）］
本処理ステップＳ１６では、無線通信切断時の動作制御設定が適用されるか否かが判定される。
【００４４】
ここで、無線通信切断時の動作制御設定の設定例について２例説明する。図３は、動作制御設定の設定画面を示す。図３に示される動作制御設定の設定画面は、設定例１では撮影装置１０のＬＣＤ１２４に表示され、設定例２ではスマートフォン２０のタッチパネル２０８に表示される。
【００４５】
設定例１及び２において、動作制御設定の設定画面は、無線通信切断時の連写撮影動作を設定するためのメニュー画面となっている。動作制御設定の設定画面には、「無線通信切断時の動作制御設定に従う」、「無線通信切断時以降の連続撮影枚数」、「無線通信切断時以降に継続される連写撮影動作の時間」が並べて表示される。「無線通信切断時の動作制御設定に従う」については、ＯＮ又はＯＦＦに設定することができる。「無線通信切断時以降の連続撮影枚数」については、０枚以上の撮影枚数を設定することができる。「無線通信切断時以降に継続される連写撮影動作の時間」については、０秒以上の時間を設定することができる。
【００４６】
（設定例１）
設定例１では、ユーザは、撮影装置１０の操作部１０２を介してＬＣＤ１２４上の設定画面を操作することにより、無線通信切断時の動作制御設定を設定することができる。すなわち、ユーザは、ＬＣＤ１２４に表示される設定画面を視認しながら「無線通信切断時の動作制御設定に従う」、「無線通信切断時以降の連続撮影枚数」、「無線通信切断時以降に継続される連写撮影動作の時間」の各項目の値を設定することができる。
【００４７】
（設定例２）
設定例２では、ユーザは、スマートフォン２０のタッチパネル２０８上の設定画面を操作することにより、無線通信切断時の動作制御設定を設定することができる。具体的には、ユーザは、ブラウザ２０４ｂを起動させて所定のＵＲＩを指定する。指定されるＵＲＩは、動作制御設定サーバ（動作制御設定コンテンツ）１３０である。撮影装置１０とスマートフォン２０とがアドホックモードで接続されている場合、例えばブラウザ２０４ｂの起動時に動作制御設定サーバ１３０が自動的に指定されるようにしてもよい。
【００４８】
ブラウザ２０４ｂが動作制御設定サーバ１３０にアクセスすることで、図３に示される設定画面（動作制御設定コンテンツ）がタッチパネル２０８上に表示される。ユーザは、ブラウザ２０４ｂにより表示される設定画面を視認しながら「無線通信切断時の動作制御設定に従う」、「無線通信切断時以降の連続撮影枚数」、「無線通信切断時以降に継続される連写撮影動作の時間」の各項目の値を設定することができる。設定された各項目の値の情報は、動作制御設定サーバ１３０にアップロードされる。これにより、撮影装置１０において無線通信切断時の動作制御設定が設定（又は更新）される。
【００４９】
なお、無線通信切断時の動作制御設定は、ユーザ操作により設定されるものに限らず、例えば製品出荷時にＲＯＭ１２６に既に書き込まれている規定の設定であってもよい。
【００５０】
図２の動作制御フローの説明に戻る。「無線通信切断時の動作制御設定に従う」がＯＦＦに設定されている場合（図２のＳ１６：ＮＯ）、図２の処理ステップＳ１３（撮影処理）に戻る。「無線通信切断時の動作制御設定に従う」がＯＮに設定されている場合（図２のＳ１６：ＹＥＳ）、無線通信切断時の動作制御設定を適用すべく、図２の処理ステップＳ１７（連写撮影のカウンタのセット）に進む。
【００５１】
［図２のＳ１７（カウンタのセット）］
本処理ステップＳ１７では、連写撮影のカウンタがセットされる。セットされるカウント値は、「無線通信切断時以降の連続撮影枚数」で設定された枚数である。例えば１０枚に設定されているときにはカウント値が１０にセットされる。
【００５２】
［図２のＳ１８（撮影処理）］
本処理ステップＳ１８では、被写体の撮影が１回行われて１つの撮影画像ファイルが生成される。生成された撮影画像ファイルは、メモリカード１３２に保存される。
【００５３】
［図２のＳ１９（連写撮影終了コマンドの受信待機）］
本処理ステップＳ１９では、スマートフォン２０より送信される連写撮影終了コマンドの受信が待機される。スマートフォン２０より送信された連写撮影終了コマンドが受信されると（図２のＳ１９：ＹＥＳ）、図２の処理ステップＳ２３（連写撮影の終了）に進む。
【００５４】
［図２のＳ２０（無線接続状態のチェック）］
連写撮影終了コマンドが受信されなければ（図２のＳ１９：ＮＯ）、本処理ステップＳ２０が実施される。本処理ステップＳ２０では、撮影装置１０とスマートフォン２０との無線通信が有効であるか否かが判定される。
【００５５】
撮影装置１０は、スマートフォン２０が検出されたとき、スマートフォン２０との無線通信が有効であると判定して（図２のＳ２０：ＹＥＳ）、図２の処理ステップＳ１７（カウンタのセット）に戻り、連写撮影のカウンタを初期値（「無線通信切断時以降の連続撮影枚数」で設定された枚数）にリセットする。なお、処理ステップＳ１７（カウンタのセット）に代えて、図２の処理ステップＳ１８（撮影処理）に戻るようにしてもよい。
【００５６】
撮影装置１０は、スマートフォン２０が検出されないとき、スマートフォン２０との無線通信が無効である（無線通信が切断されている）と判定して（図２のＳ２０：ＮＯ）、図２の処理ステップＳ２１（カウント値のデクリメント）に進む。
【００５７】
［図２のＳ２１（カウント値のデクリメント）］
本処理ステップＳ２１では、連写撮影のカウント値が１デクリメントされる。
【００５８】
［図２のＳ２２（カウント値の判定）］
本処理ステップＳ２２では、連写撮影のカウント値がゼロか否かが判定される。連写撮影のカウント値がゼロでない場合（図２のＳ２２：ＮＯ）、図２の処理ステップＳ１８（撮影処理）に戻り、連写撮影が継続される。なお、連写撮影は、「無線通信切断時以降に継続される連写撮影動作の時間」を「無線通信切断時以降の連続撮影枚数」で除算した値（時間間隔）で行われる。連写撮影のカウント値がゼロの場合（図２のＳ２２：ＹＥＳ）、図２の処理ステップＳ２３（連写撮影の終了）に進む。
【００５９】
［図２のＳ２３（連写撮影の終了）］
本処理ステップＳ２３は、スマートフォン２０より送信された連写撮影終了コマンドが受信されたとき（図２のＳ１４：ＹＥＳ）又は連写撮影のカウント値がゼロになったとき（図２のＳ２２：ＹＥＳ）に実施される。本処理ステップＳ２３では、図２の処理ステップＳ１４（連写撮影終了コマンドの受信待機）でＹＥＳ判定の場合には連写撮影終了コマンドに従い、又は処理ステップＳ２２（カウント値の判定）でＹＥＳ判定の場合には無線通信切断時の動作制御設定に従い、連写撮影が終了される。連写撮影の終了に伴い、本フローチャートが終了する。
【００６０】
このように、本実施形態によれば、撮影装置１０は、スマートフォン２０との無線通信が切断されてスマートフォン２０からの制御信号を受信できない状況にあっても、撮影に関する動作（例えば連写撮影動作）の実行が制御される。
【００６１】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本願の実施形態に含まれる。
【符号の説明】
【００６２】
１  動作制御システム
１０  撮影装置
２０  スマートフォン
１００  ＣＰＵ
１０２  操作部
１０４  絞り・シャッタ駆動回路
１０６  撮影レンズ
１０８  絞り
１１０  シャッタ
１１２  イメージセンサ
１１４  信号処理回路
１１６  画像処理エンジン
１１８  バッファメモリ
１２０  カード用インタフェース
１２２  ＬＣＤ制御回路
１２４  ＬＣＤ
１２６  ＲＯＭ
１２８  通信インタフェース
１３０  動作制御設定サーバ
１３２  メモリカード
２００  ＣＰＵ
２０２  主記憶装置
２０４  補助記憶装置
２０４ａ  ＯＳ
２０４ｂ  ブラウザ
２０４ｃ  動作制御アプリ
２０６  通信インタフェース
２０８  タッチパネル
【図１】
2015076841.tif 000003
【図２】
2015076841.tif 000004
【図３】
2015076841.tif 000005